(57)【要約】      （修正有）【課題】家具等の表面材を磁石の被着体の基体として使用する場合、被着体の表面材となるボードを軽量化して、装飾等の利便性をもたせるとともに、磁石を貼着できる構成とする家具用複合ボードを提供する。【解決手段】パーティクルボード、インシュレーションボード（ＩＢ）、中質繊維板（ＭＤＦ）よりなる群から選択される木質ボード層１１と、木質ボード層１１の主面上に具備する磁性体シート層１３と、磁性体シート層１３の主面上に具備する、コート紙層、含浸紙層、薄葉紙層、クラフト紙層、オレフィン系シート層よりなる群から選択される表面シート層１５とを有する家具用複合ボードである。【選択図】図１
0003192934.tif 000002
【実用新案登録請求の範囲】
【請求項１】
パーティクルボード、インシュレーションボード（ＩＢ）、中質繊維板（ＭＤＦ）よりなる群から選択される木質ボード層と、
前記木質ボード層の主面上に具備する磁性体シート層と、
前記磁性体シート層の主面上に具備する、コート紙層、含浸紙層、薄葉紙層、クラフト紙層、オレフィン系シート層よりなる群から選択される表面シート層と、
を有する家具用複合ボード。
【請求項２】
表面シート層の代わりに塩化ビニルシート層を具備する請求項１記載の家具用複合ボード。
【請求項３】
塩化ビニルシート層の主面上に、コート紙層、含浸紙層、薄葉紙層、クラフト紙層、オレフィン系シート層よりなる群から選択される表面シート層を具備する請求項２記載の家具用複合ボード。
【請求項４】
塩化ビニルシート層の代わりに不織布層を具備する請求項３記載の家具用複合ボード。
【請求項５】
木質ボード層の裏主面上に、コート紙層、含浸紙層、薄葉紙層、クラフト紙層、オレフィン系シート層よりなる群から選択される表面シート層を具備する請求項２記載の家具用複合ボード。
【請求項６】
木質ボード層の裏主面上に、コート紙層、含浸紙層、薄葉紙層、クラフト紙層、オレフィン系シート層よりなる群から選択される表面シート層を具備する請求項３または４記載の家具用複合ボード。
【請求項７】
木質ボード層の裏主面上に、コート紙層、含浸紙層、薄葉紙層、クラフト紙層、オレフィン系シート層よりなる群から選択される表面シート層を具備する請求項１記載の家具用複合ボード。
【請求項８】
木質ボード層の裏主面上に具備する磁性体シート層と、
前記磁性体シート層の裏主面上に具備する塩化ビニルシート層と、
前記塩化ビニルシート層の裏主面上に具備する、コート紙層、含浸紙層、薄葉紙層、クラフト紙層、オレフィン系シート層よりなる群から選択される表面シート層と、
を有する請求項３記載の家具用複合ボード。
【請求項９】
木質ボード層の裏主面上に具備する磁性体シート層と、
前記磁性体シート層の裏主面上に具備する不織布層と、
前記不織布層の裏主面上に具備する、コート紙層、含浸紙層、薄葉紙層、クラフト紙層、オレフィン系シート層よりなる群から選択される表面シート層と、
を有する請求項４記載の家具用複合ボード。
【請求項１０】
木質ボード層の裏主面上に具備する磁性体シート層と、
前記磁性体シート層の裏主面上に具備する、コート紙層、含浸紙層、薄葉紙層、クラフト紙層、オレフィン系シート層よりなる群から選択される表面シート層と、
を有する請求項１記載の家具用複合ボード。
【請求項１１】
少なくともオレフィン系シート層を含む層間には、ウレタン変性エチレン・酢酸ビニル共重合体（ＥＶＡ）、ポリウレタンリアクティブホットメルト（ＰＵＲ）を主成分とする接着層を具備する請求項２〜１０のいずれか一項に記載の家具用複合ボード。
【請求項１２】
磁性体シート層の代わりにマグネットシート層を具備する請求項１〜１１のいずれか一項に記載の家具用複合ボード。
【考案の詳細な説明】
【技術分野】
【０００１】
本考案は、フラッシュドア及びクロゼット表面材、キッチン収納家具表面材、クロゼット内背面壁、応接室簡易間仕切りの表面材等に用いられる木質製のボードに関する。特にマグネットを利用してボードの表面あるいは背面に被着材を貼着できるので、重宝である。また壁の一部が磁性体であるため、建具の接触する部分をマグネット仕様にすると、地震対策にもなり、あるいはマグネットを背部に有するミラー（姿見）を設置することもできる。また、オレフィン系シート（書き消し可能）で連絡用ボードとしても活用できる。
【背景技術】
【０００２】
本考案に係る複合ボードは、内装の壁材に使用されるものではなく、家具等表面材に使用されるものであるから、軽量であることが好ましい
この軽量化の試みとして、構造面から以下のような工夫がなされている。すなわち、図１０に示すように、パーティクルボード等を用いて枠状に形成した框を芯材１０１とし、芯材１０１の表側表面及び裏側表面に合板やＭＤＦ等を表面材１０３として貼り合わせた中空のボード、いわゆるフラッシュ構造の木質製の板材１００がある。しかしながら、テーブルや机の天板又は書棚の棚板等の用途に用いられる板材には、上から掛かる重みに対してある程度の強度が求められるが、フラッシュ構造の板材１００は、中空部１０１ａを有する構造であるため、上からの重みに対して極端に強度が低い部分が形成されるという問題がある。これを補うため、中空部に内部空間部材として蜂の巣状のペーパーコア材を敷き詰めた木製フラッシュパネル等が開示されている（例えば、特許文献１参照）。この木製フラッシュパネルでは、中部にペーパーコア材 等を敷き詰めることでフラッシュ構造パネルの課題の一つである強度不足を補っている。
【０００３】
一方、軽量化と強度不足を補うため、フラッシュ構造の板材に用いられる芯材の代わりに、例えば図１１に示すように、板状に押出成型したポリスチレン製の発泡体１１２を中心に配し、この発泡体１１２の表側表面及び裏側表面に表面材１１３を接着して挟み込んだ３層構造（装飾紙を除く）の複合ボード１１０等も提案されている。この複合ボード１１０では、中心部に非常に軽量で、かつ所望の柔軟性のあるポリスチレン製の発泡体等を用いることで軽量化が図られ、またフラッシュ構造の板材のような中空部を有しないため、棚板表面の中央付近において強度が極端に弱くなるといった不具合も生じにくい 。
【先行技術文献】
【特許文献】
【０００４】
【特許文献１】登録実用新案第３０４４１３５号公報
【考案の概要】
【考案が解決しようとする課題】
【０００５】
しかしながら、上記従来の構成では、家具表面の装飾及び表示を容易に変更することができない。一方、室内の内壁、電気製品の表面等では、非磁性体（木合板、石膏ボードなど）の壁面、間仕切、などの表面に強磁性体板（鉄板など）を貼り付けて直接磁石を用いて被着体を貼着させることが行われつつある。しかしながら、これらの板は、鋼板等が主で非常に重く、とても家具の表面材等に適用できるものではなかった。さらに、木工機械では切断、穴加工、断面加工ができなく、実用的に使用が困難でもあった。たとえば鋼板を用いると、鋸を使用することがなく、またバリができるという問題があった。
【０００６】
本考案の課題は、家具等の表面材を磁石の被着体の基体として使用する場合、被着体の表面材となるボードを軽量化して、装飾等の利便性をもたせるとともに、磁石を貼着できる構成とすることである。
【課題を解決するための手段】
【０００７】
そこで本考案の家具用複合ボードでは、この課題を解決するために以下の構成とする。
パーティクルボード、インシュレーションボード（ＩＢ）、中質繊維板（ＭＤＦ）よりなる群から選択される木質ボードと、その木質ボードの主面上に第一の接着層を介して具備する磁性体シートと、その磁性体シートの主面上に第二の接着層を介して具備する、コート紙、含浸紙、薄葉紙、クラフト紙、オレフィン系シートよりなる群から選択される表面シートとを有する構成とする。
【０００８】
軽量となったため、この構成を変形させることにより、例えば、ホワイトボード機能を持たせるために、最表面を塩化ビニルシートにすることもできる。また表裏同機能とするために、木質ボード表裏に対して同じ層構造とすることもできる。また磁性体シート、あるいはマグネットシートを用いているので、木質ボード等と同時に加工できる。
【０００９】
ところで、塩化ビニルシートと表面シートを接着させる場合、水分を吸収しない。このため、接着剤が乾かないため、ＰＵＲ（ポリウレタンリアクティブホットメルト）等を主成分とする接着剤を用いて接着させる必要がある。
しかしながら、ＰＵＲ接着剤は高価であり、また市場での導入頻度が少ない事から、塩化ビニルシートの代わりに不織布を用い、その中に水分を吸収させ、接着させることで密着を安定させることが可能となる。
【考案の効果】
【００１０】
本考案によれば、軽量な複合ボードであるため、家具の表面材に最適である。特に、磁石等を貼着できるため、図柄を作成することが可能で家具表面を有効的に活用できる。また、表面シートにメモ等を書くことが可能で、しかも消去も可能である。
【図面の簡単な説明】
【００１１】
【図１】実施するための形態１におけるコストを抑えた構成を示す図
【図２】図１の表面シートの代わりに塩化ビニルシートを貼りつけた場合の図
【図３】図２の構成において、塩化ビニルシートもしくは不織布を設けた場合の図
【図４】図２の構成において、裏面にも表面シートを貼りつけた場合の図
【図５】図３の構成において、裏面にも表面シートを貼りつけた場合の図
【図６】図１の構成において、裏面にも表面シートを貼りつけた場合の図
【図７】図３の構成において、表裏同機能にした場合の図
【図８】図１の構成において、表裏同機能にした場合の図
【図９】フラッシュ構造を示すパネルの図
【図１０】従来のフラッシュ構造を示す図
【図１１】従来のフラッシュ構造を示す図
【考案を実施するための形態】
【００１２】
次に本考案を実施するための形態を図面に基づいて説明する。
（実施するための形態１）
実施するための形態１では、本考案に係る種々の家具用複合ボードについて説明する。
本考案の家具用複合ボードは、図１に示すように、木質ボード１１と、第一の接着層１２を介して磁性体シート１３を具備し、さらに第二の接着層１４を介して表面シート１５を有する。
【００１３】
図１に示す複合ボードの構成は、コストを抑えた構成であり、表面シートにコート紙、含浸紙、薄葉紙、クラフト紙、あるいはオレフィン系シートを用いたものである。
木質ボードは、木の小片、木っ端や繊維を接着させて固めたものを総称して言うが、本考案では、特に、軽量、強度の観点からパーティクルボード、インシュレーションボード（ＩＢ）、中質繊維板（ＭＤＦ）が好ましい。この中でさらに好ましいのは、ＭＤＦであり、ＭＤＦはファイバーボードの一種であり、スピーカのキャビネットや本棚、食器棚などの家具類の扉や背板、側板などに汎用されている。なお、本考案では、木質ボードに限定しているが、これに限らずハニカムボード、石膏ボード、板紙、バッカー材、合板を用いてもよい。
【００１４】
磁性体シートは、磁石と吸着するシートであればよく、例えば鉄粉を含んだシート等がある。したがって、鉄粉の量、用いるバインダは特に限定されるものではない。また磁力を有するマグネットシートを用いてもよい。
表面シートは、上述のように、コート紙、含浸紙、薄葉紙、クラフト紙、あるいはオレフィン系シートを用いる。
【００１５】
各ボード、あるいはシートの厚さは使用する家具、あるいは目的によって決まるが、１木質ボード１１は、１ｍｍ〜３０ｍｍ程度であり、表面シート１４は０．０１ｍｍ〜０．５ｍｍ程度である。
【００１６】
第一の接着層、および表面シートにコート紙、含浸紙、薄葉紙、クラフト紙を用いた場合の第二の接着層を形成するために使用する接着剤は一般に用いられているものを使用でき、特に限定はされないが、例えば、ＥＶＡ（ウレタン変性エチレン・酢酸ビニル共重合体）などを主成分とする接着剤を使用できる。しかしながら、表面シートにオレフィン系シートを用いた場合の第二の接着層を形成するために使用する接着剤は、ＰＵＲ（ポリウレタンリアクティブホットメルト）を主成分とする接着剤が好ましい。
【００１７】
図２は、図１の表面シートの代わりに塩化ビニルシートを貼りつけた場合の図である。このようにすることによって、表面に文字等の書き消しが可能となり、ホワイトボードのような機能を備えることができる。
【００１８】
図２に示すように、木質ボード２１と、第一の接着層２２を介して磁性体シート２３を具備し、さらに第二の接着層２４を介して塩化ビニルシート２５を有する。
木質ボード２１、第一の接着層２２、磁性体シート２３は、図１の木質ボード１１、第一の接着層１２、磁性体シート１３と同じである。また、第二の接着層２４を形成するために使用する接着剤は一般に用いられているものを使用でき、特に限定はされないが、例えば、ＥＶＡ（ウレタン変性エチレン・酢酸ビニル共重合体）などを主成分とする接着剤を使用できる。本来硬い塩化ビニルシートを柔らかくするために、可塑剤を添加することができる。添加する可塑剤としては特に限定されないが、よく知られているＤＥＨＰ（フタル酸ビス２-エチルヘキシル）を使用することができる。ただし、ホワイトボードとしての機能を持たせるのであれば、硬いシートとするために可塑剤は少量でよい。
【００１９】
図３は図２の構成において、ボード内部を隠す目的で、塩化ビニルシートもしくは不織布を設けたものである。
図３に示すように、木質ボード３１と、第一の接着層３２を介して磁性体シート３３と、第２の着層３４を介して塩化ビニルシートもしくは不織布３５と、第三の接着層３６を介して表面シート３７を有する。
【００２０】
図４は図２の構成において、裏面にも表面シートを貼りつけた場合の図である。このようにすることによって、裏面の表面シートにより反り止めとなり、さらに収納扉等、裏面も視認できる場合に効果を発揮する。
図４に示すように、表面シート４７と、第三の接着層４６を介して木質ボード４１と、第一の接着層４２を介して磁性体シート４３と、第二の接着層４４を介して塩化ビニルシート４５を有する。
【００２１】
図５は図３の構成において、裏面にも表面シートを貼りつけた場合の図である。このようにすることによって、裏面の表面シートにより反り止めとなり、さらに収納扉等、裏面も視認できる場合に効果を発揮する。
図５に示すように、表面シート５７と、第三の接着層５６を介して木質ボード５１と、第一の接着層５２を介して磁性体シート５３と、第２の接着層５４を介して塩化ビニルシートもしくは不織布５５と、第三の接着層５６を介して表面シート５７を有する。
【００２２】
図６は図１の構成において、裏面にも表面シートを貼りつけた場合の図である。このようにすることによって、裏面の表面シートにより反り止めとなり、さらに収納扉等、裏面も視認できる場合に効果を発揮する。
図６に示すように、表面シート６７に、第三の接着層６６を介して木質ボード６１と、第一の接着層６２を介して磁性体シート６３を具備し、さらに第二の接着層６４を介して表面シート６５を有する。
【００２３】
図７は図３の構成において、表裏同機能にした場合の図である。
図７に示すように、木質ボード７１の表裏面に、第一の接着層７２ａ、７２ｂを介して磁性体シート７３ａ、７３ｂと、第２の着層７４ａ、７４ｂを介して塩化ビニルシートもしくは不織布７５ａ、７５ｂと、第三の接着層７６ａ，７６ｂを介して表面シート７７ａ、７７ｂを有する。
【００２４】
図７と同様に、図８は図１の構成において、表裏同機能にした場合の図である。
図８に示すように、木質ボード８１の表裏面に、第一の接着層８２ａ、８２  ｂを介して磁性体シート８３ａ、８３ｂと、第二の接着層８４ａ、８４ｂを介して表面シート８５ａ，８５ｂを有する。
以上、説明したように、本考案の複合ボードは軽量、強固であるがゆえに種々の形態をとることができる。
【００２５】
（実施するための形態２）
実施するための形態２では、本考案の複合ボードを用いて応用したフラッシュパネルについて説明する。なお、ここで説明するフラッシュパネルとは、サンドイッチ構造の一種で周囲及び芯に幅の狭い板を使い、両面に合板等を接着した中空構造板のことを意味し、軽量のパネルである。
【００２６】
図９は、フラッシュ構造を示すパネルの図である。このパネルを作製するには、芯材９１を用意し、正寸に切断する。切断した芯材９１を指示された形状に組み合わせてタッカー釘等を使って芯組を行う。芯組が完了した後、芯と本考案の複合パネル９２との接着を行う。接着は、接着剤を芯材の両面に均一に塗布し、芯材の両面に複合パネルを貼り、ホットプレスもしくはコールドプレスにて圧着を行う。プレスが終わった後、一定の養生時間を経て寸法カットを行う。その後、適用する家具、ドアに応じて、必要な加工、例えば、窓穴加工、ノブ加工等を行う。
【００２７】
さらに、実施の形態では、パネル９２にマグネポケット９３を貼りつけたものを例示している。マグネポケット９３のポケット部はビニル製であり、裏面に磁石が付いている。この磁石により、マグネポケットはパネルに貼着することができる
【００２８】
このように形成された複合パネルは、本考案の複合パネルを用いていることから、軽量、強固であることはもちろん、磁石等を貼着することができるので、非常に機能的である。たとえば、ミラーに磁石をひっつけ、上述のフラッシュドア、あるいは家具にミラーを貼着すると、姿見として機能することができる。
【００２９】
また、ドア、あるいは家具表面をホワイトボードとして使用できるので、磁石を貼着でき、文字、絵等を書くこともでき、さらに消すこともできる。
【産業上の利用可能性】
【００３０】
本考案による家具用複合ボードは、フラッシュドア及びクロゼット表面材、キッチン収納家具表面材、クロゼット内背面壁、応接室簡易間仕切りの表面材等に利用でき、その利用価値は大きい。
【符号の説明】
【００３１】
１１、２１、３１、４１、５１、６１、７１、８１  木質ボード
１２、２２、３２，４２，５２，６２，７２ａ、７２ｂ、８２ａ、８２ｂ  第１の接着剤
１３、２３、３３，４３，５３，６３，７３ａ、７３ｂ、８３ａ、８３ｂ  磁性体シート
１４、２４、３４，４４，５４，６４，７４ａ、７４ｂ、８４ａ、８４ｂ  第２の接着剤
１５、３５，５５，６５，７５ａ、７５ｂ、８５ａ、８５ｂ  表面シート
２５、４５  塩化ビニルシート
【図１】
0003192934.tif 000003
【図２】
0003192934.tif 000004
【図３】
0003192934.tif 000005
【図４】
0003192934.tif 000006
【図５】
0003192934.tif 000007
【図６】
0003192934.tif 000008
【図７】
0003192934.tif 000009
【図８】
0003192934.tif 000010
【図９】
0003192934.tif 000011
【図１０】
0003192934.tif 000012
【図１１】
0003192934.tif 000013